(57)【特許請求の範囲】
【請求項１】
容器体に装着して使用するとともに、容器体上部に上下動可能に突出させたステム上端にノズル付き押し下げヘッドを固定したポンプであって、ヘッドの押し下げにより内部のポンプ機構の作用で前方へ突出したノズル先端より液を注出する如く構成してなる液体注出ポンプに於いて、上記ノズル５先端にマウスピース７を嵌着固定してなり、該マウスピース７は、ノズル先端に基端部を液密嵌合させるとともに、先端縁を下方へ向けて水平に位置させた筒部８を有し、該筒部先端の水平環状周縁部より上方へドーム状に突出して先端開口を閉塞する弾性閉塞板部９を一体に延設し、該弾性閉塞板部９中央に液圧で開口可能なスリット１０を穿設してなることを特徴とする液体注出ポンプ。
【請求項２】
上記スリット１０が閉塞板部９中央より放射状に且つ三方に延びるスリット１０である請求項１記載の液体注出ポンプ。
【発明の詳細な説明】
【０００１】
【発明の属する技術分野】
本発明は液体注出ポンプに関する。
【０００２】
【従来の技術】
従来液体注出ポンプとして、図１０に示す如く、ノズル５０を前方へ突出した押し下げヘッド５１を押し下げることにより内部のポンプ機構の作用で装着した容器体５２内の液をノズル先端から注出する液体注出ポンプが知られている（尚、図１０は、ヘッド５１を押し下げて螺着係止させた状態を示し、使用時には螺脱して上方へ突出させる。）。
【０００３】
また、これらのポンプの先端に、液圧で開口可能なスリットを穿設した弾性閉塞板を備えたマウスピース５３を嵌着固定して、ノズル内の液の乾燥を防止することが行われている。
【０００４】
例えば、図１０に示す如く、ノズル５０の先端外周に基端部を嵌着させた嵌合筒５４の先端を、弾性閉塞板５５で閉塞し、この弾性閉塞板５５に液圧で開口するスリット５６を設けたものがある。
【０００５】
従来のポンプに於けるこれらマウスピース５３はその弾性閉塞板５５の向きが斜め下方に向いており、また、閉塞板は弾性復元力を増加させて出来るだけ速く閉じて液切れが良くなる様に、内方へドームに凹んだ形状に形成している。
【０００６】
そして、ヘッド５１を押し下げることにより、ノズル５０先端に導入された液の液圧でスリット５０が開口し、液が外部へ注出される。一方、ヘッドの上昇時には弾性閉塞板５５の弾性復元力により直ちにスリット５６が閉塞してノズル内外が遮断される如く構成している。
【０００７】
【発明が解決しようとする課題】
上記従来のポンプでは、液の注出時のみスリット５６が開口するため、ノズル５０内の液が乾燥することを防止できる優れた効果を発揮できるものではあるが、閉塞板５５外面下部の凹んだ部分に液が付着残存してしまうという不都合が生じる虞があった。これらの付着液が乾燥固化すると外観を損ねるばかりか、甚だしい場合には弁機能を阻害する虞も生じる。
【０００８】
本発明はこの様な従来ポンプを改良したもので、従来通りのノズル内の乾燥防止効果を発揮できるとともに、閉塞板部外面への液の残存を防止できる優れたポンプを提案するものである。
【０００９】
【課題を解決するための手段】
本請求項１発明ポンプは上記課題を解決するため、容器体に装着して使用するとともに、容器体上部に上下動可能に突出させたステム上端にノズル付き押し下げヘッドを固定したポンプであって、ヘッドの押し下げにより内部のポンプ機構の作用で前方へ突出したノズル先端より液を注出する如く構成してなる液体注出ポンプに於いて、上記ノズル５先端にマウスピース７を嵌着固定してなり、該マウスピース７は、ノズル先端に基端部を液密嵌合させるとともに、先端縁を下方へ向けて水平に位置させた筒部８を有し、該筒部先端の水平環状周縁部より上方へドーム状に突出して先端開口を閉塞する弾性閉塞板部９を一体に延設し、該弾性閉塞板部９中央に液圧で開口可能なスリット１０を穿設してなることを特徴とする液体注出ポンプとして構成した。
【００１０】
また、請求項２発明のポンプは、上記スリット１０が閉塞板部９中央より放射状に且つ三方に延びるスリット１０である請求項１記載の液体注出ポンプとして構成した。
【００１１】
【発明の実施の形態】
以下、本発明の実施例の形態を図面を参照して説明する。
本発明ポンプ１は、容器体２に装着して使用する。
【００１２】
例えば、図１に示す如く、容器体２の口頚部外周に嵌合させた装着キャップ３により容器体２に固定し、装着キャップ３上方に上方付勢状態で上下動可能に突出したステム４上端にノズル５付きの押し下げヘッド６を嵌着固定している。そして、ヘッド６を押し下げることにより、容器体内の液をノズル５先端より注出する如く構成した公知のポンプ機構を備えたものである。尚、図１に於けるポンプは、ヘッド６を押し下げて公知の係止手段により螺着係止させた状態を示し、使用時には螺脱して上方へ突出させる。
【００１３】
本発明のポンプ１は、このノズル５先端に特殊構成のマウスピース７を嵌着固定させて構成している。
【００１４】
このマウスピース７はシリコンゴム等の柔軟で弾力性に富む材質より形成されたもので、ノズル５の先端に基端部を液密に嵌着固定させるとともに、先端縁を下方へ向けて水平に位置させた筒部８を有し、該筒部８先端の水平環状周縁部より上方へドーム状に突出して先端開口部を閉塞する弾性閉塞板部９を一体に延設し、更に、この閉塞板部９中央部には液圧で開口するスリット１０を穿設して構成している。
【００１５】
図１及び図２に示す実施例では、ノズル５の先端部分が下方へ傾斜下降して構成されている。また、マウスピース７は、ノズル５の先端外面に基端部を液密に嵌着固定させるとともに、先端部を前面から後面に亘って漸次傾斜下降する垂壁部８ａに形成して筒部８を構成し、該筒部８先端の水平円形縁部より上方へ、球面状に突出する薄肉の弾性閉塞板部９を延設し、この弾性閉塞板部９中央にスリット１０を穿設している。スリット１０は、図２に示す如く、中央より放射状に且つ等離間角度をもって三方に延びる如く構成している。
【００１６】
尚、スリット１０は上記構成に限らず、図４に示す如く、十字形のものであっても、或いは放射状に５本以上穿設したものであっても良いが、図２の如き３本のものが最も好ましい。
【００１７】
図３及び図４に示す実施例では、上記垂壁部８ａの部分を薄肉部１１に形成して、その部分が液圧で外方へ若干の膨出が可能に構成し、閉塞板部９に掛かる液圧を均一にする如く構成したものである。
【００１８】
また、図５及び図６に示す実施例では、閉塞板部９周縁部に隣接する筒部８の連接角度を均一にし且つその部分を薄肉部１１に構成して同様に液圧を均一にする如く構成したものである。
【００１９】
また、筒部８先端の水平環状周縁部は上記した水平円形縁部に限らず、水平楕円状縁部であっても良く、この場合には弾性閉塞板部９が楕円ドーム状となる。例えば、図７及び図８に示す実施例の如く、垂壁部を設けないで筒部先端縁を楕円状に形成し、この筒壁先端縁部より楕円ドーム状の弾性閉塞板部９を延設している。
【００２０】
また、図９に示すものは、上記図７の実施例に於いて、前面より後面に順次傾斜下降する薄肉部１１を形成して、同様に弾性閉塞板部９に掛かる液圧を均一化させる如く構成している。
【００２１】
上記の如く構成したポンプ１は、例えば図１の状態からステム４の押し下げ係止状態（公知の螺着係止手段）を解除してヘッド６をその上方付勢力により上方へ突出させ、次いで、ヘッド６を押し下げるとノズル５先端に導入された液の圧力によりスリット１０が開き、液が外部へ注出される。この際、弾性閉塞板部９はその周縁部が水平で、中央部にスリット１０を形成しているため、注出液は真下に注出され、閉塞板部外面に付着残留することはない。また、ヘッドが上昇する際には弾性閉塞板部９の弾性復元力により直ちにスリット１０を閉じノズル５内外を遮断する。
【００２２】
【発明の効果】
以上説明した如く本発明ポンプは、ノズル先端に基端部を液密嵌合させるとともに、先端縁を下方へ向けて水平に位置させた筒部を有し、該筒部先端の水平環状周縁部より上方へドーム状に突出して先端開口を閉塞する弾性閉塞板部を一体に延設し、その中央に液圧で開口可能なスリットを穿設したマウスピースを設けたので、即ち、弾性閉塞板部は真下を向き、しかもその中央にスリットを設けたので、液の注出の後、閉塞板部外面に液が付着残留することを防止でき、その結果、閉塞板部外面に固化した液が付着して外観を損なう虞もなく、また、固化した液によるスリットの作動不良を引き起こす虞もない。
【００２３】
また、スリットを中央より放射状にかつ三方に穿設したものにあっては、スリット開口時の弾性閉塞板部の引っ掛かりを極力防止できるとともに、良好な弾性復元力を発揮してスリット開口の閉塞を迅速に行える効果を伴う。
【図面の簡単な説明】
【図１】本発明の一実施例を示す一部切欠き要部側面図である。
【図２】同実施例のマウスピース部分の要部底面図である。
【図３】本発明の他の実施例を示すマウスピース部分の要部縦断面図である。
【図４】同実施例のマウスピース部分の要部底面図である。
【図５】本発明の更に他の実施例を示すマウスピース部分の要部縦断面図である。
【図６】同実施例のマウスピース部分の要部底面図である。
【図７】本発明の更に他の実施例を示すマウスピース部分の要部縦断面図である。
【図８】同実施例のマウスピース部分の底面図である。
【図９】本発明の更に他の実施例を示すマウスピース部分の要部縦断面図である。
【図１０】従来のポンプの一例を示す一部切欠き要部側面図である。
【符号の説明】
５…ノズル，７…マウスピース，８…筒部，９…弾性閉塞板部，
１０…スリット
【図１】
0003556342.tif 000002
【図２】
0003556342.tif 000003
【図３】
0003556342.tif 000004
【図４】
0003556342.tif 000005
【図５】
0003556342.tif 000006
【図６】
0003556342.tif 000007
【図７】
0003556342.tif 000008
【図８】
0003556342.tif 000009
【図９】
0003556342.tif 000010
【図１０】
0003556342.tif 000011